(57)【要約】NFCラジオを含む二つの装置が、NFCコンポーネントの一部を使って一方の装置が他方の装置中の電池を無線で充電できるようにしてもよい。通信機能と充電機能の間の時分割により、充電機能が通信機能に干渉を引き起こすことなく、二つの装置が両方の機能に同じ周波数を使用できるようになりうる。一方の装置は定期的にポールを送信し、あるポールと次のポールの間にデータ交換通信期間および充電期間の両方が生起する。いくつかの実施形態では、NFCラジオを使ったデータ交換期間および充電回路を使った充電期間は時間的に重ならない。
2015517294.tif 000002
【特許請求の範囲】
【請求項１】
プロセッサと、メモリと、近距離場通信（NFC）ラジオを有する第一の無線通信装置であって、当該第一の装置は：
所定の間隔でNFCポーリング信号を送信する段階と；
各ポーリング信号後に：
第二の無線通信装置からのNFC応答があるかどうか傾聴し、
応答が受信される場合に前記第二の装置とNFCデータ交換を実行し、
充電信号を送信し、
もう一つのNFCポーリング信号が生起することがスケジュールされている時より前に充電信号の前記送信を停止することを実行する段階とを実行するよう適応されており、
前記NFCデータ交換および前記充電信号は時間的に重ならない、
第一の装置。
【請求項２】
前記NFCデータ交換の継続時間が固定されている、請求項１記載の第一の装置。
【請求項３】
前記NFCデータ交換の継続時間が可変であり、該継続時間が現在のまたは前のデータ交換において示される、請求項１記載の第一の装置。
【請求項４】
前記データ交換が：１）充電信号が送信されるべきかどうか、２）充電信号の強さ、３）充電信号の開始時刻、４）充電信号の継続時間、４）充電信号が調整されるべきかどうか、５）電池の充電状態、６）前記第二の装置の内部温度および７）充電信号の受信される電力のうちの一つまたは複数に関する情報を含む、請求項１記載の第一の装置。
【請求項５】
前記データ交換信号および前記充電信号が同じ周波数を使う、請求項１記載の第一の装置。
【請求項６】
第一の無線装置による方法であって、当該方法は：
所定の間隔でNFCポーリング信号を送信する段階と；
各ポーリング信号後に：
第二の無線通信装置からのNFC応答があるかどうか傾聴し、
応答が受信される場合に前記第二の装置とNFCデータ交換を実行し、
充電信号を送信し、
もう一つのNFCポーリング信号が生起することがスケジュールされている時より前に充電信号の前記送信を停止することを実行する段階とを含んでおり、
前記NFCデータ交換および前記充電信号は時間的に重ならない、
方法。
【請求項７】
前記NFCデータ交換の継続時間が固定されている、請求項６記載の方法。
【請求項８】
前記NFCデータ交換の継続時間が可変であり、該継続時間が現在のまたは前のデータ交換において示される、請求項６記載の方法。
【請求項９】
前記データ交換が該データ交換に参加する別の装置内の電池の充電状態についての情報を含む、請求項６記載の方法。
【請求項１０】
前記データ交換が：１）充電信号が送信されるべきかどうか、２）充電信号の強さ、３）充電信号の開始時刻、４）充電信号の継続時間、４）充電信号が調整されるべきかどうか、５）電池の充電状態、６）前記第二の装置の内部温度および７）充電信号の受信される電力のうちの一つまたは複数に関する情報を含む、請求項６記載の方法。
【請求項１１】
前記データ交換信号および前記充電信号が同じ周波数を使う、請求項６記載の方法。
【請求項１２】
命令を含むコンピュータ可読な非一時的な記憶媒体であって、前記命令は、一つまたは複数のプロセッサによって実行されたときに：
所定の間隔で第一の装置からNFCポーリング信号を送信する段階と；
各ポーリング信号後に：
第二の無線通信装置からのNFC応答があるかどうか傾聴し、
応答が受信される場合に前記第二の装置とNFCデータ交換を実行し、
充電信号を送信し、
もう一つのNFCポーリング信号が生起することがスケジュールされている時より前に充電信号の前記送信を停止することを実行する段階と含む動作を実行させるものであり、
前記NFCデータ交換および前記充電信号は時間的に重ならない、
媒体。
【請求項１３】
前記NFCデータ交換の継続時間が固定されている、請求項１２記載の媒体。
【請求項１４】
前記NFCデータ交換の継続時間が可変であり、該継続時間が現在のまたは前のデータ交換において示される、請求項１２記載の媒体。
【請求項１５】
前記データ交換が該データ交換に参加する別の装置内の電池の充電状態についての情報を含む、請求項１２記載の媒体。
【請求項１６】
前記データ交換が：１）充電信号が送信されるべきかどうか、２）充電信号の強さ、３）充電信号の開始時刻、４）充電信号の継続時間、４）充電信号が調整されるべきかどうか、５）電池の充電状態、６）前記第二の装置の内部温度および７）充電信号の受信される電力のうちの一つまたは複数に関する情報を含む、請求項１２記載の媒体。
【請求項１７】
プロセッサと、メモリと、近距離場通信（NFC）ラジオとを有する第一の無線通信装置であって、当該第一の装置は：
第二の無線通信装置とNFCデータ交換を実行し；
前記第二の装置から充電信号を受信するよう適応されており、
前記データ交換および前記充電信号は前記第二の装置からの二つの相続くポールの中間に生起し、
前記データ交換と前記充電信号は時間的に重ならない、
第一の装置。
【請求項１８】
前記NFCデータ交換の継続時間が固定されている、請求項１７記載の第一の装置。
【請求項１９】
前記NFCデータ交換の継続時間が可変であり、該継続時間が現在のまたは前のデータ交換において示される、請求項１７記載の第一の装置。
【請求項２０】
前記データ交換が：１）充電信号が送信されるべきかどうか、２）充電信号の強さ、３）充電信号の開始時刻、４）充電信号の継続時間、４）充電信号が調整されるべきかどうか、５）電池の充電状態、６）当該第一の装置の内部温度および７）充電信号の受信される電力のうちの一つまたは複数に関する情報を含む、請求項１７記載の第一の装置。
【請求項２１】
前記データ交換信号および前記充電信号が同じ周波数を使う、請求項１７記載の第一の装置。
【請求項２２】
第一の装置によって無線で通信する方法であって：
第二の無線通信装置とNFCデータ交換を実行する段階と；
前記第二の無線通信装置から充電信号を受信する段階とを含み、
前記データ交換および前記充電信号は前記第二の無線通信装置からの二つの相続くポールの中間に生起し、
前記データ交換と前記充電信号は時間的に重ならない、
方法。
【請求項２３】
前記NFCデータ交換の継続時間が固定されている、請求項２２記載の方法。
【請求項２４】
前記NFCデータ交換の継続時間が可変であり、該継続時間が現在のまたは前のデータ交換において示される、請求項２２記載の方法。
【請求項２５】
前記データ交換が：１）充電信号が送信されるべきかどうか、２）充電信号の強さ、３）充電信号の開始時刻、４）充電信号の継続時間、４）充電信号が調整されるべきかどうか、５）電池の充電状態、６）当該第一の装置の内部温度および７）充電信号の受信される電力のうちの一つまたは複数に関する情報を含む、請求項２２記載の方法。
【請求項２６】
前記データ交換信号および前記充電信号が同じ周波数を使う、請求項２２記載の方法。
【請求項２７】
命令を含むコンピュータ可読な非一時的な記憶媒体であって、前記命令は、一つまたは複数のプロセッサによって実行されたときに：
無線通信装置とNFCデータ交換を実行する段階と；
前記無線通信装置から充電信号を受信する段階とを含む動作を実行させるものであり、
前記データ交換および前記充電信号は前記無線通信装置からの二つの相続くポールの中間に生起し、
前記データ交換と前記充電信号は時間的に重ならない、
媒体。
【請求項２８】
前記NFCデータ交換の継続時間が固定されている、請求項２７記載の媒体。
【請求項２９】
前記NFCデータ交換の継続時間が可変であり、該継続時間が現在のまたは前のデータ交換において示される、請求項２７記載の媒体。
【請求項３０】
前記データ交換が：１）充電信号が送信されるべきかどうか、２）充電信号の強さ、３）充電信号の開始時刻、４）充電信号の継続時間、４）充電信号が調整されるべきかどうか、５）電池の充電状態、６）ある装置の内部温度および７）充電信号の受信される電力のうちの一つまたは複数に関する情報を含む、請求項２７記載の媒体。
【発明の詳細な説明】
【技術分野】
【０００１】
関連出願への相互参照
本願は2013年3月12日に出願された米国仮特許出願第61/776,990号から導かれ、あらゆる適用可能な主題についてその出願日の優先権を主張するものである。
【背景技術】
【０００２】
無線充電技術（WCT:  wireless  charging  technology）は、ケーブルおよび／または物理的なコネクタの必要なしにポータブル装置における電池を充電する方法としてますます使われるようになっている。この目的のために使われる無線周波数帯域は一般に13.56MHzの産業用、科学用および医療用周波数帯域である。この同じ周波数帯域は、近距離場通信（NFC:  Near  Field  Communication）技術を使う非常に短いレンジでの通信のためにも一般に使われている。
【発明の概要】
【発明が解決しようとする課題】
【０００３】
残念ながら、二つの機能が単一の装置に組み合わされるとき、充電信号が通信機能に干渉を引き起こすことがあり、充電のために使われる高い伝送電力が充電されている装置内のNFC受信器に損傷を引き起こすことさえありうる。充電のために異なる周波数を使う試みもなされているが、これは両方の装置において追加的な回路を必要とし、それによりそれらの装置のコストおよび複雑さの両方を増す。
【課題を解決するための手段】
【０００４】
本発明のいくつかの実施形態は、本発明の実施形態を例解するために使われる以下の記述および付属の図面を参照してよりよく理解されうる。
【図面の簡単な説明】
【０００５】
【図１】本発明のある実施形態に基づく、ホスト装置およびモバイル装置を示す図である。
【図２】本発明のある実施形態に基づく、WCT/NFCシステムにおける二つの装置の内部コンポーネントのブロック図である。
【図３】本発明のある実施形態に基づく、ポーリング、データ交換、充電のサイクルのタイミング図である。
【図４】本発明のある実施形態に基づく、ホスト装置によって実行される方法の流れ図である。
【図５】本発明のある実施形態に基づく、モバイル装置によって実行される方法の流れ図である。
【発明を実施するための形態】
【０００６】
以下の記述では、数多くの個別的詳細が記述されるが、本発明の実施形態は、これらの個別的詳細なしでも実施されうることは理解されるであろう。その一方、本記述の理解をかすませることがないよう、よく知られた回路、構造および技法は詳細に示してはいない。
【０００７】
「一つの実施形態」、「ある実施形態」、「例示的な実施形態」「さまざまな実施形態」などへの言及は、そのように記述されている本発明の実施形態が特定の特徴、構造または特性を含みうることを示すが、必ずしもすべての実施形態がその特定の特徴、構造または特性を含むのではない。さらに、いくつかの実施形態は、他の実施形態について記述された特徴の一部を含むこともあるし、全部を含むこともあるし、いずれも含まないこともある。
【０００８】
本記述および請求項において、「結合された」および「接続された」の用語やその派生形が使われることがある。これらの用語は互いの同義語として意図されていないことを理解しておくべきである。むしろ、個別的な実施形態において、「接続された」は二つ以上の要素が直接的に物理的または電気的に互いに接触していることを示すために使われる。「結合された」は二つ以上の要素が協働または相互作用することを示すために使われるが、両者の間に介在する物理的または電気的コンポーネントがあってもなくてもよい。
【０００９】
請求項での用法では、特に断わりのない限り、共通の要素を記述する順序形容語「第一」「第二」「第三」などの使用は単に同様の要素の異なるインスタンスに言及していることを示すのであって、そのように記述される要素が、時間的にも空間的にもランキング上も他のいかなる仕方でも、与えられた序列でなければならないことを含意することは意図されていない。
【００１０】
本稿でのたとえば「処理する」「コンピューティングする」「計算する」「決定する」「確立する」「解析する」「検査する」などといった用語を使った議論は、コンピュータのレジスタおよび／またはメモリ内の物理的な（たとえば電子的な）量として表現されているデータを操作および／または変換してコンピュータのレジスタおよび／またはメモリまたは動作および／またはプロセスを実行するための命令を記憶しうる他の情報記憶媒体内の物理量として同様に表現される他のデータにする、コンピュータ、コンピューティング・プラットフォーム、コンピューティング・システムまたは他の電子コンピューティング装置の動作（単数または複数）および／またはプロセス（単数または複数）を指しうる。
【００１１】
本発明のさまざまな実施形態は、完全にまたは部分的にソフトウェアおよび／またはファームウェアにおいて実装されてもよい。このソフトウェアおよび／またはファームウェアは、非一時的なコンピュータ可読記憶媒体中または該媒体上に含まれる命令の形を取ってもよい。次いで、そうした命令が一つまたは複数のプロセッサによって読まれ、実行されて、本稿に記載される動作の実行を可能にしてもよい。命令は、ソース・コード、コンパイルされるコード、インタープリットされるコード、実行可能なコード、静的なコード、動的なコードなどといった、任意の好適な形であってもよいが、それに限られない。そのようなコンピュータ可読媒体は、これに限られないが、読み出し専用メモリ（ROM）；ランダム・アクセス・メモリ（RAM）；磁気ディスク記憶媒体；光記憶媒体；フラッシュ・メモリなどといった、一つまたは複数のコンピュータによって可読な形で情報を記憶するためのいかなる有体の非一時的な媒体をも含みうる。
【００１２】
用語「無線」は、固体でない媒体を通じて電磁放射を使ってデータおよび／またはエネルギーを通信するための回路、装置、システム、方法、技法、通信チャネルなどを記述するために使われてもよい。無線装置（wireless  device）は、少なくとも一つのアンテナ、少なくとも一つのラジオ（radio）、少なくとも一つのメモリおよび少なくとも一つのプロセッサを有していてもよい。ここで、前記ラジオはアンテナを通じてデータを表わす信号を送信し、アンテナを通じてデータを表わす信号を受信するものである。一方、前記プロセッサは送信されるべきデータおよび受信されたデータを処理してもよい。前記プロセッサは、送信も受信もされない他のデータをも処理してもよい。
【００１３】
本稿での用法では、用語「通信する」（およびその派生形）は、データの送信および／または受信を含むことが意図されている。同様に、二つの無線装置の間のデータの双方向の交換（該交換の間、両方の装置が送信および受信する）が「通信」と記述されることがある。用語「データ交換」も通信を表わすために使用されうる。
【００１４】
さまざまな実施形態において、時分割式に二つの機能の間で交互することによって、同じ周波数帯域が無線通信および無線充電の両方のために使用されてもよい。
【００１５】
便宜上、以下の記述では、充電送信器を含む装置としてホスト装置（HD:  host  device）が記述され、一方、充電されるべき電池を含む装置としてモバイル装置（MD:  mobile  device）が記述される。しかしながら、HDおよびMDの用語は単に例として呈示されているのであって、記載される機能を提供するいかなる実現可能な装置が使用されてもよい。たとえば、ホスト装置はパーソナル・コンピュータであってもよく、一方、モバイル装置はスマートフォンであってもよいが、これらも単に例である。
【００１６】
NFC機能のために、HDは定期的にNFCポーリング信号を定義された間隔で送信してもよい。ある実施形態では、ポーリング信号は400ミリ秒（ms）毎に送信されてもよいが、他の間隔が使われてもよい。HDがポーリングに対して応答を受信しない場合、そのことはレンジ内に他のNFC装置がないことを示し、HDは別のポーリング信号を送信するために次のポーリング間隔の開始まで待つ。いくつかの実施形態では、応答が受信される頻度に依存して、ポーリング間隔は増大または減少されてもよい。
【００１７】
HDがMDから応答を受信する場合、HDはMDとのNFC通信リンクを確立し、ある時間期間にわたってそのNFCリンクを通じてMDとデータを交換してもよい。データ交換期間についてのさまざまな時間長さが使用されうる。ある実施形態では、時間長さは固定かつ事前に決定されていてもよい。別の実施形態では、データ交換期間は、所望されるデータが交換されるまでまたは別のポーリングが送信されるべくスケジューリングされているまでのうちいずれか先に起こるほうまで、続いてもよい。さらなるデータが残っている場合、該データは一つまたは複数のその後のポーリング間隔において通信されてもよい。さらにもう一つの実施形態では、ホスト装置は、現在のおよび／または将来のポーリング間隔についてデータ交換期間の長さを決定し、その情報を現在のデータ交換の間にモバイル装置に通信してもよい。データ交換のためにどの時間長さが選ばれるにせよ、ポーリング間隔の残り（残りがあるとして）の一部または全部を充電期間に割くことができる。たとえば、50ms続くデータ交換は、現在のポーリング間隔の間にほとんど350msを充電期間として使用されるよう残しうる。
【００１８】
WCT機能のために、HDは相続くポーリングの中間で、NFC信号を通信していない時間の間に、充電信号を送信してもよい。いくつかの実施形態では、この充電信号は、ポーリングおよび／またはデータ交換信号よりずっと強くてもよい。充電信号は、データ交換の完了後まもなく開始し、次のポーリングの少し前まで続いてもよい。このようにして、充電信号は、NFC信号が送信も受信もされないポーリング間隔の諸部分の間に送信されてもよい。こうして、普通なら起こりうる干渉が避けられる。いくつかの実施形態では、MDはデータ交換において受信されたエネルギーの少なくとも一部を電池を充電するために使うよう構成されていてもよい。しかしながら、本稿の目的のためには、データ交換期間の間に受信されたいかなるそのようなエネルギーも、充電信号の一部とは考えられない。
【００１９】
充電されるべき装置がないときに充電信号を送信することはエネルギーの無駄になりうる。よって、充電されるべき装置が存在しているときにのみ充電信号を開始するために、さまざまな方法が使用されうる。装置が全く存在しない場合、あるいは装置が存在しているが電池の充電を必要としない場合、充電信号はなくされてもよいが、NFCポーリングは継続してもよい。
【００２０】
充電信号はNFC受信器のコンポーネントを損傷するに十分な強さであることがある（特に、より古いレガシーNFC装置において）ので、いくつかの実施形態では、HDはMDに、データ交換の間に、MDが充電周期の間に充電信号によって損傷されうるいかなるNFC回路をもオフにし、それによりそのような回路を充電信号による損傷から保護するべきであることを通信してもよい。MDはその後、次のポーリング信号を受信するのに間に合うようそれらの回路を有効にしうる。
【００２１】
いくつかの実施形態では、データ交換は、MDが充電信号を受信する状態にあるかどうかおよび／または該装置が充電信号を受信できるようにされているかどうかを通信してもよい。いくつかの実施形態では、データ交換は、MDからHDに、充電信号を送信する要求を通信してもよい。
【００２２】
いくつかの実施形態では、二つの装置は、データ交換の間に、充電信号の詳細に影響しうる情報を通信してもよい。たとえば、この情報は、次の項目のうちの一つまたは複数に係る指標を含んでいてもよい：１）充電信号が送信されるべきかどうか、２）充電信号の強さ、３）充電信号の開始時刻、４）充電信号の継続時間、４）充電信号が調整されるべきかどうか、５）電池の充電状態、６）当該装置の内部温度、７）充電信号の受信される電力または８）他の充電関係の情報。
【００２３】
いくつかの実施形態では、MDは、強い信号に耐える自らの能力を通信し、それにより、より強い充電信号の使用を承認できてもよい。すると、HDは充電信号における送信される電力を増してもよい。そのような能力が通信されない場合、HDはMDのNFC回路がそのようなより強い充電信号に耐えることができないと想定し、しかるべく充電信号を制限してもよい。いくつかの実施形態では、HDがMDがどのレベルの充電信号に耐えられるかの指標を受信しない場合、HDはいかなる充電信号も送信することを拒否してもよい。いくつかの実施形態では、第一のMDがすでに充電されつつある間に第二のMDが充電レンジ中に動かされたとの指標をHDが受信する場合、HDは、第二のMDから充電信号に耐えるその能力についてどんな情報を受信するか（または受信しないか）に基づいて充電信号を低下させたりまたはなくしたりしてもよい。ひとたび第二のMDが充電レンジ外に動かされると、HDは第一のMDのみに基づく充電信号を再開してもよい。
【００２４】
いくつかの実施形態では、データ交換信号についての使われる周波数および充電信号のために使用される周波数は同じであってもよいし、あるいは周波数が非常に近くてもよい。いくつかの実施形態では、この周波数は13.56MHzであってもよい。
【００２５】
個別的な特徴および実施形態が以下の段落において記述される。これらはさらに付属の図面によってサポートされる。
【００２６】
図１は、本発明のある実施形態に基づくホスト装置およびモバイル装置の図を示している。ホスト装置１００はラップトップ・コンピュータとして示されうるが、他のいかなる型の好適な装置が使用されてもよい。それは、NFC通信機能をもち、かつ無線充電信号を提供するのに十分強い電源をもつタブレット・コンピュータ、デスクトップ・コンピュータまたは他の任意の型の装置といったものであるが、これに限られない。モバイル装置１２０はスマートフォンとして示されているが、他のいかなる型の好適な装置が使われてもよい。それは、NFC通信機能をもち、無線で充電されるべき電池をもつ携帯電話、無線メモリ・デバイスまたは他の任意の型の装置といったものであるが、これに限られない。
【００２７】
各装置は、そのNFCアンテナが位置している特定の位置を有することがあり、これらの位置が、NFC通信および電池充電のためにそれら二つの装置が互いに対してどのように配向されるかを決定してもよい。いくつかの実施形態では、モバイル装置は、ホスト装置の特定の位置の隣に置かれてもよい。他の実施形態では、モバイル装置は、キーボード表面の指定された領域のような（だがそれに限られない）ホスト装置の特定の位置に配置されてもよい。さらに他の実施形態では、ホスト装置は、モバイル装置を保持するよう延びるスライド式棚を有していてもよい。他の構成も使用されうる。
【００２８】
図２は、本発明のある実施形態に基づくWCT/NFCシステムにおける二つの装置の内部コンポーネントのブロック図を示している。ホスト装置２００は、プロセッサ２１４およびメモリ２１６ならびにNFC通信を提供するNFCラジオ２１０とともに示されている。無線充電信号を生成し、制御する回路を含む充電送信器２１２も示されている。NFCラジオおよび充電送信器はいずれも、同じアンテナを使うものとして示されているが、実施形態によってはそれぞれが自分独自の別個のアンテナを有していてもよい。二つの別個の項目として示されているが、いくつかの実施形態では、NFCラジオ２１０および充電送信器２１２はいくつかの共通のコンポーネントを共有していてもよい。
【００２９】
モバイル装置２２０は、プロセッサ２２４、メモリ２２６およびNFCラジオ２２１とともに示されている。モバイル装置２２０はまた、プロセッサおよびメモリに電力を与える電池２２８とともに示されている。いくつかの実施形態では、電池はNFCラジオにも電力を提供してもよいが、他の実施形態ではNFCラジオはその動作電力の一部または全部をそのアンテナを通じて受信される信号から得てもよい。モバイル装置２２０はまた、充電受信器２２２とともに示されている。充電受信器２２２は、アンテナを通じて受信される充電信号から電力を得て、電池２２８を再充電するためにその電力を使ってもよい。NFCラジオおよび充電受信器はいずれも同じアンテナを使うものとして示されているが、実施形態によってはそれぞれが自分独自の別個のアンテナを有していてもよい。二つの別個の項目として示されているが、いくつかの実施形態では、NFCラジオ２２１および充電受信器２２２はいくつかの共通のコンポーネントを共有していてもよい。
【００３０】
図３は、本発明のある実施形態に基づく、ポーリングし、データを交換し、充電するサイクルのタイミング図を示している。示した図は、ポール間隔と説明的にラベル付けされている間隔で送信される一連のポールを示している。この図において「ポール」とラベル付けされている期間は、ポールを送信すべき時間を含んでいてもよく、また該ポールに対する一つまたは複数の応答を受信するためのあらかじめ決定された時間をも含んでいてもよい。ポールへの応答がその時間内に受信されれば、ポール期間に続いてデータ交換（DE:  data  exchange）期間がきてもよい。データ交換期間の間、ポーリング装置および応答装置が互いと、そのNFCラジオを通じて通信しうる。ひとたびデータ交換期間が終わったら、ポーリング間隔中の残りの時間の全部または一部が充電に当てられることができる。ある実施形態では、データ交換期間および充電期間は時間的に重ならない。
【００３１】
図３の示した例は、三つのポーリング間隔を示している。第一のポーリング間隔は、データ交換期間および充電期間を含む。第二のポーリング間隔は、データ交換期間を含むが、充電期間は含まない。これは、ポーリングに応答する装置がこのようにして充電されるよう構成されていない、あるいは充電信号の必要がないことを示すときに起こりうる。データ交換期間がないことは、ポーリングに応答する装置（単数または複数）が交換すべきデータをもたないことを示すときに引き起こされうる。しかしながら、いくつかの実施形態は、たとえ充電信号および継続時間を定義する情報を交換するだけのためであろうと常にデータ交換期間を含んでいてもよい。上記の例はデータ交換期間が各ポーリング間隔における充電期間より前に生起することを示しているが、実施形態によっては充電期間が先に生起して、データ交換期間が次に生起してもよい。
【００３２】
むろん、存在すると検出される装置がない場合には、データ交換および充電期間はなくされてもよく、ホスト装置が定期的に別のNFC装置がレンジ内にあるかどうかを判定できるようポーリング期間のみが残ることになる。
【００３３】
図４は、本発明のある実施形態によって実行される方法の流れ図を示している。流れ図４００において、ホスト装置は４１０において、そのNFCラジオを通じてポーリング信号を送信してもよい。指定された時間以内に応答が受信されない場合、ホスト装置はポーリング間隔の間待って、それからもう一つのポールを送信してもよい。しかしながら、４２０での判定により応答が受信される場合には、ホスト装置は４３０において応答装置とNFCデータ交換を実行してもよい（ここで、「NFCデータ交換」は、二つの装置がそれらのNFCラジオを使って互いと通信することを意味する）。データ交換期間が終わったら、ホストは４４０において充電信号を、ポーリング間隔が４５０において終わるまで、送信して、次いで４１０においてもう一つのポーリング信号を送信することによって再開してもよい。この流れ図では示していないが、データ交換期間および／または充電期間の継続時間は、先述したさまざまな因子に依存して、固定であってもよく、あるいは変動してもよい。
【００３４】
図５は、本発明のある実施形態に基づく、モバイル装置によって実行される方法の流れ図を示している。流れ図５００では、モバイル装置のNFC回路が５１０において作動されてもよい。いくつかの実施形態では、NFC回路は、受信されたNFC信号が、NFC作動回路を電源投入するのにアンテナを通じて十分なエネルギーを提供するときに作動されてもよい。他の実施形態では、NFC回路はすでに傾聴モードでアクティブであってもよい。
【００３５】
５２０においてNFCポールがホスト装置から受信されるとき、モバイル装置は、５３０においてNFC応答を送信することによって、ホスト装置に対してその存在を同定してもよい。これに続いて、５４０においてNFCデータ交換が行なわれてもよい。NFCデータ交換の間に、二つの装置はそれらのNFCラジオを通じてさまざまな情報を互いと通信してもよい。データ交換期間に続いて、モバイル装置は、５５０においてホスト装置から充電信号を受信して、その充電信号からのエネルギーを、自分の電池を充電するために使ってもよい。５６０において充電信号が終わると、フローは５２０に戻ってもよく、もう一つのポーリング信号を待つ。モバイル装置がその通信／充電位置から物理的に除去される場合には、モバイル装置はポーリング信号、データ交換信号および充電信号についてのレンジ外であってもよく、図５の動作は停止してもよい。
【実施例】
【００３６】
例１は、所定の間隔でNFCポーリング信号を送信する段階と、各ポーリング信号後に：第二の無線通信装置からのNFC応答があるかどうか傾聴し、応答が受信される場合に第二の装置とNFCデータ交換を実行し、充電信号を送信し、もう一つのNFCポーリング信号が生起することがスケジュールされている時より前に充電信号の前記送信を停止することを実行する段階とを含む、無線通信方法を含む。前記NFCデータ交換および前記充電信号は時間的に重ならない。
【００３７】
例２は、前記NFCデータ交換の継続時間が固定されている、例１を含む。
【００３８】
例３は、前記NFCデータ交換の継続時間が可変であり、該継続時間が現在のまたは前のデータ交換において示される例１を含む。
【００３９】
例４は、前記データ交換が該データ交換に参加する別の装置内の電池の充電状態についての情報を含む、例１を含む。
【００４０】
例５は、前記データ交換が次の項目のうちの一つまたは複数に係る情報を含む例１を含む：１）充電信号が送信されるべきかどうか、２）充電信号の強さ、３）充電信号の開始時刻、４）充電信号の継続時間、４）充電信号が調整されるべきかどうか、５）電池の充電状態、６）当該装置の内部温度および７）充電信号の受信される電力。
【００４１】
例６は、前記データ交換信号および前記充電信号が同じ周波数を使う、例１を含む。
【００４２】
例７は、プロセッサと、メモリと、近距離場通信（NFC）ラジオを有する第一の無線通信装置を含む。当該第一の装置は、例１ないし例６の方法を実行するよう適応されている。
【００４３】
例７は、プロセッサと、メモリと、近距離場通信（NFC）ラジオを有する第一の無線通信装置を含む。当該第一の装置は、例１ないし例６の方法を実行するよう適応されている。
【００４４】
例８は、一つまたは複数のプロセッサによって実行されたときに例１ないし例６の方法をなす動作を実行させる命令を含むコンピュータ可読な非一時的な記憶媒体を含む。
【００４５】
例９は、無線通信装置とNFCデータ交換を実行し、該無線通信装置から充電信号を受信することを含む、無線通信方法を含む。ここで、前記データ交換および前記充電信号は前記無線通信装置からの二つの相続くポールの中間に生起し、前記データ交換と前記充電信号は時間的に重ならない。
【００４６】
例１０は、前記NFCデータ交換の継続時間が固定されている、例９を含む。
【００４７】
例１１は、前記NFCデータ交換の継続時間が可変であり、該継続時間が現在のまたは前のデータ交換において示される例９を含む。
【００４８】
例１２は、前記データ交換が次の項目のうちの一つまたは複数に係る情報を含む例９を含む：１）充電信号が送信されるべきかどうか、２）充電信号の強さ、３）充電信号の開始時刻、４）充電信号の継続時間、４）充電信号が調整されるべきかどうか、５）電池の充電状態、６）当該装置の内部温度および７）充電信号の受信される電力。
【００４９】
例１３は、前記データ交換信号および前記充電信号が同じ周波数を使う、例９を含む。
【００５０】
例１４は、プロセッサと、メモリと、近距離場通信（NFC）ラジオを有する第一の無線通信装置を含む。当該第一の装置は、例９ないし例１３の方法を実行するよう適応されている。
【００５１】
例１５は、一つまたは複数のプロセッサによって実行されたときに例９ないし例１３の方法をなす動作を実行させる命令を含むコンピュータ可読な非一時的な記憶媒体を含む。
【００５２】
以上は、限定するのではなく例解することを意図されている。当業者には変形が思いつくだろう。それらの変形は、本発明の上記のさまざまな実施形態に含まれる。本発明は、付属の請求項の範囲によってのみ限定される。
【図１】
2015517294.tif 000003
【図２】
2015517294.tif 000004
【図３】
2015517294.tif 000005
【図４】
2015517294.tif 000006
【図５】
2015517294.tif 000007
【手続補正書】
【提出日】平成26年9月19日(2014.9.19)
【手続補正１】
【補正対象書類名】特許請求の範囲
【補正対象項目名】全文
【補正方法】変更
【補正の内容】
【特許請求の範囲】
【請求項１】
第一の無線装置による方法であって、当該方法は：
所定の間隔でNFCポーリング信号を送信する段階と；
各ポーリング信号後に：
第二の無線通信装置からのNFC応答があるかどうか傾聴し、
応答が受信される場合に前記第二の装置とNFCデータ交換を実行し、
充電信号を送信し、
もう一つのNFCポーリング信号が生起することがスケジュールされている時より前に充電信号の前記送信を停止することを実行する段階とを含んでおり、
前記NFCデータ交換および前記充電信号は時間的に重ならない、
方法。
【請求項２】
前記NFCデータ交換の継続時間が固定されている、請求項１記載の方法。
【請求項３】
前記NFCデータ交換の継続時間が可変であり、該継続時間が現在のまたは前のデータ交換において示される、請求項１記載の方法。
【請求項４】
前記データ交換が：１）充電信号が送信されるべきかどうか、２）充電信号の強さ、３）充電信号の開始時刻、４）充電信号の継続時間、４）充電信号が調整されるべきかどうか、５）電池の充電状態、６）前記第二の装置の内部温度および７）充電信号の受信される電力のうちの一つまたは複数に関する情報を含む、請求項１記載の方法。
【請求項５】
前記データ交換信号および前記充電信号が同じ周波数を使う、請求項１記載の方法。
【請求項６】
プロセッサと、メモリと、近距離場通信（NFC）ラジオとを有する第一の無線通信装置であって、当該第一の装置は請求項１ないし６のうちいずれか一項記載の方法の動作を実行するよう適応されている、装置。
【請求項７】
命令を含むコンピュータ可読な非一時的な記憶媒体であって、前記命令は、一つまたは複数のプロセッサによって実行されたときに請求項１ないし６のうちいずれか一項記載の方法の動作を実行させるものである、
媒体。
【請求項８】
第一の装置によって無線で通信する方法であって：
第二の無線通信装置とNFCデータ交換を実行する段階と；
前記第二の無線通信装置から充電信号を受信する段階とを含み、
前記データ交換および前記充電信号は前記第二の無線通信装置からの二つの相続くポールの中間に生起し、
前記データ交換と前記充電信号は時間的に重ならない、
方法。
【請求項９】
前記NFCデータ交換の継続時間が固定されている、請求項８記載の方法。
【請求項１０】
前記NFCデータ交換の継続時間が可変であり、該継続時間が現在のまたは前のデータ交換において示される、請求項８記載の方法。
【請求項１１】
前記データ交換が：１）充電信号が送信されるべきかどうか、２）充電信号の強さ、３）充電信号の開始時刻、４）充電信号の継続時間、４）充電信号が調整されるべきかどうか、５）電池の充電状態、６）当該第一の装置の内部温度および７）充電信号の受信される電力のうちの一つまたは複数に関する情報を含む、請求項８記載の方法。
【請求項１２】
前記データ交換信号および前記充電信号が同じ周波数を使う、請求項２２記載の方法。
【請求項１３】
プロセッサと、メモリと、近距離場通信（NFC）ラジオとを有する第一の無線通信装置であって、当該第一の装置は請求項８ないし１２のうちいずれか一項記載の方法の動作を実行するよう適応されている、装置。
【請求項１４】
命令を含むコンピュータ可読な非一時的な記憶媒体であって、前記命令は、一つまたは複数のプロセッサによって実行されたときに請求項８ないし１２のうちいずれか一項記載の方法の動作を実行させるものである、
媒体。
【国際調査報告】
2015517294.tif 000008
2015517294.tif 000009